(57)【特許請求の範囲】
【請求項１】
着座部の前方縁部から垂下する収納姿勢と、着座部の着座面に面一状態で前方に向かって延びる足載せ姿勢との間で姿勢変更可能に構成された椅子の足載せ台において、上記足載せ台は、フレームと、このフレームの表面に取り付けられたパッド部とからなり、上記足載せ台が足載せ姿勢から収納姿勢に姿勢変更するに際し、上記フレームよりも先端側のパッド部に上記姿勢変更に抗する力が加わると、パッド部はフレームに対して相対的に後退するとともに、フレームは収納姿勢に姿勢変更するように構成されていることを特徴とする椅子の足載せ台構造。
【請求項２】
上記パッド部は、磁石によってフレームに取り付けられていることを特徴とする請求項１記載の椅子の足載せ台構造。
【請求項３】
上記パッド部は、嵌め合い部材を介してフレームに取り付けられていることを特徴とする請求項１または２記載の椅子の足載せ台構造。
【請求項４】
上記フレームは、幅方向に延びる支持ロッドを備え、上記パッド部は、収納姿勢で先端側が支持ロッドより下方に位置し、かつ、足載せ姿勢で先端側が支持ロッドより前方に位置するように上記支持ロッド回りに回動可能に支持されているとともに、先端側を自由端にしてあることを特徴とする請求項１乃至３のいずれかに記載の椅子の足載せ台構造。
【請求項５】
上記パッド部は、上記支持ロッド回りに回動自在に接続されるフック部を有し、このフック部は、上記足載せ台が足載せ姿勢から収納姿勢に姿勢変更するに際し、上記フレームよりも先端側のパッド部に上記姿勢変更に抗する力が加わると、上記支持ロッドから外れるように構成されていることを特徴とする請求項４記載の椅子の足載せ台構造。
【発明の詳細な説明】
【０００１】
【発明の属する技術分野】
本発明は、足載せ台が着座部の前方縁部から垂下する収納姿勢と、着座部の着座面に面一状態で前方に向かって延びる足載せ姿勢との間で姿勢変更し得るように構成された椅子の足載せ台構造に関するものである。
【０００２】
【従来の技術】
従来、前縁部にオットマンと通称される足載せ台を備えた椅子が知られている。上記オットマンは、椅子の前縁部から垂下した収納姿勢と、前縁部から前方に延びる足載せ姿勢との間で姿勢変更可能に設けられ、駆動機構の駆動によって姿勢変更が行われるようになっている。そして、オットマンが足載せ姿勢に設定された状態では、着座者は足をオットマン上に載置させ、リラックスすることができるとともに、収納姿勢に設定された状態では、オットマンが椅子の前縁部から垂下して邪魔にならないようになっているため、着座者の足裏をフロアに付ける通常の着座が行われ、非常に便利である。
【０００３】
【発明が解決しようとする課題】
ところで、従来、オットマンは着座部に姿勢変更可能に取り付けられたオットマン用のフレームにボルト止めその他で固定されていたため、足載せ姿勢に設定されたオットマンを駆動機構の駆動によって収納姿勢に姿勢変更させるに際し、オットマンと着座部との間に異物が挟み込まれているような場合には、異物がオットマンと着座部とに押圧挟持された状態になり、これによって異物や椅子が破損することがあるという問題点を有していた。
【０００４】
本発明は、上記のような問題点を解決するためになされたものであり、駆動機構の駆動によってオットマンを足載せ姿勢から収納姿勢に姿勢変更するに際し、オットマンと着座部との間に異物が存在しても、異物や椅子に損傷を与えないようにした椅子の足載せ台構造を提供することを目的としている。
【０００５】
【課題を解決するための手段】
本発明の請求項１記載の椅子の足載せ台構造は、着座部の前方縁部から垂下する収納姿勢と、着座部の着座面に面一状態で前方に向かって延びる足載せ姿勢との間で姿勢変更可能に構成された椅子の足載せ台において、上記足載せ台は、フレームと、このフレームの表面に取り付けられたパッド部とからなり、上記足載せ台が足載せ姿勢から収納姿勢に姿勢変更するに際し、上記フレームよりも先端側のパッド部に上記姿勢変更に抗する力が加わると、パッド部はフレームに対して相対的に後退するとともに、フレームは収納姿勢に姿勢変更するように構成されていることを特徴とするものである。
【０００６】
この椅子の足載せ台構造によれば、足載せ姿勢に設定された足載せ台を駆動機構の駆動によって収納姿勢に姿勢変更するに際し、パッド部と着座部との間に異物が挟まっていても、フレームは足載せ台の収納姿勢に対応した姿勢に変位するが、パッド部はフレームに対して相対的に後退するため、異物がパッド部と着座部との間に押圧挟持された状態にならないばかりか、駆動機構が過負荷になることもなく、異物および椅子の損傷が起こらない。
【０００７】
本発明の請求項２記載の椅子の足載せ台構造は、請求項１記載の椅子の足載せ台構造において、上記パッド部は、磁石によってフレームに取り付けられていることを特徴とするものである。
【０００８】
この椅子の足載せ台構造によれば、パッド部と着座部との間に異物が挟まった状態で駆動機構の駆動によって足載せ台を収納姿勢に変更すると、パッド部は異物によって反力を受け、この反力で磁石によりフレームに取り付けられているパッド部はフレームから外れる。
【０００９】
本発明の請求項３記載の椅子の足載せ台構造は、請求項１または２記載の椅子の足載せ台構造において、上記パッド部は、嵌め合い部材を介してフレームに取り付けられていることを特徴とするものである。
【００１０】
この椅子の足載せ台構造によれば、パッド部と着座部との間に異物が挟まった状態で駆動機構の駆動によってパッド部を収納姿勢に変更すると、パッド部は異物によって反力を受け、この反力で嵌め合い部材によるパッド部とフレームとの結合が解除され、パッド部はフレームから外れる。
【００１１】
本発明の請求項４記載の椅子の足載せ台構造は、請求項１乃至３のいずれかに記載の椅子の足載せ台構造において、上記フレームは、幅方向に延びる支持ロッドを備え、上記パッド部は、収納姿勢で先端側が支持ロッドより下方に位置し、かつ、足載せ姿勢で先端側が支持ロッドより前方に位置するように上記支持ロッド回りに回動可能に支持されているとともに、先端側を自由端にしてあることを特徴とするものである。
【００１２】
この椅子の足載せ台構造によれば、パッド部と着座部との間に異物が挟まった状態で駆動機構の駆動によって足載せ台を収納姿勢に変更すると、パッド部は異物によって反力を受け、この反力によってパッド部は、自由端側が支持ロッド回りに相対回動し、この相対回動によってフレームは足載せ台の収納姿勢に対応した姿勢に変位するにも拘らず、パッド部は異物を挟持した位置に残留し、これによって異物および椅子の損傷が回避される。
【００１３】
本発明の請求項５記載の椅子の足載せ台構造は、請求項４記載の椅子の足載せ台構造において、上記パッド部は、上記支持ロッド回りに回動自在に接続されるフック部を有し、このフック部は、上記足載せ台が足載せ姿勢から収納姿勢に姿勢変更するに際し、上記フレームよりも先端側のパッド部に上記姿勢変更に抗する力が加わると、上記支持ロッドから外れるように構成されていることを特徴とするものである。
【００１４】
この椅子の足載せ台構造によれば、パッド部と着座部との間に異物が挟まった状態で駆動機構の駆動によって足載せ台を収納姿勢に変更すると、パッド部は異物によって反力を受け、この反力によってパッド部は支持ロッドから容易に外れる。
【００１５】
【発明の実施の形態】
図１は、本発明に係る足載せ台構造が適用された椅子のフレーム構造を示す斜視図であり、椅子が着座姿勢に設定された状態を示している。また図２は、図１の椅子のフレームがリクライニング姿勢に設定された状態を示している。なお、フレームにシートボトム、シートバックおよびオットマンが装着されて形成された椅子は図６に示している。これらの図に示すように、椅子のフレーム構造１は、パイプをＵ字形状に折り曲げて形成された基礎パイプ１１上に、着座部２と、背凭れ部３と、脚載せ部（足載せ台）４とが配設されて形成されている。
【００１６】
上記基礎パイプ１１は、平行に前後方向に延びる一対の側部パイプ１１ａを有し、これら側部パイプ１１ａの前方上部に幅方向（図１のＸ−Ｘ方向）の外方に向かって突出し、かつ、前後方向（図１のＹ−Ｙ方向）に延びる幅方向一対の長方形状の下部支持板１２が設けられ、これら一対の下部支持板１２上に上記着座部２が形成されている。
【００１７】
また、上記基礎パイプ１１には、各側部パイプ１１ａ間に前方から前部梁材１３、中央部梁材１４、および後部梁材１５が順次架橋されて固定され、これによって基礎パイプ１１上に各種の部材を支持させ得るようにするとともに、椅子のフレーム構造１の構造的な強度を向上させるようにしている。
【００１８】
上記着座部２は、各下部支持板１２に設けられた幅方向一対の支持架台２１と、各支持架台２１の頂部に設けられたアームレスト部２４と、一対の支持架台２１間に吊設された緩衝支持部材２８とから形成されている。上記支持架台２１は、下部支持板１２の四隅部に立設された４本の支柱２２と、これら支柱２２に支持された水平方向に延びる上部支持板２３とからなっている。上記支柱２２の内、幅方向で外側の２本は上部支持板２３よりも高く寸法設定され、それらの頂部間に桟材２２ａが差し渡されているとともに、前方隅部の一対の支柱２２間にはフロントロッド２２ｂが架橋されている。
【００１９】
上記各上部支持板２３は、幅方向が下部支持板１２よりも若干大きく設定され、これによって互いに対向した各縁部が支持架台２１よりも内側に突出し、この突出した部分に緩衝支持部材２８を支持するオーバーハング部２３ａが形成されている。このオーバーハング部２３ａには、前後方向に直列するように略等ピッチで複数の係止孔２３ｂが穿設され、これらの係止孔２３ｂに緩衝支持部材２８を係止させるようにしている。
【００２０】
上記アームレスト部２４は、上部支持板２３上に立設された２本の角筒２５と、これら角筒２５に嵌め込まれたアームレスト装着筒２６と、各アームレスト装着筒２６に装着されるアームレスト支持体２７とを具備している。上記角筒２５は、それぞれが同一高さ寸法で、かつ、頂部が桟材２２ａよりも上方に位置するように寸法設定され、桟材２２ａに溶接その他で固定されている。
【００２１】
上記アームレスト支持体２７は、前後方向に水平に延びる板状フレーム２７ａと、この板状フレーム２７ａの底面から垂下された一対の支持ロッド２７ｂとを備えて形成されている。上記一対の支持ロッド２７ｂは、中心線間の距離がアームレスト装着筒２６の中心線間の距離に等しく寸法設定され、これによって前後の支持ロッド２７ｂはそれぞれ対応したアームレスト装着筒２６に嵌入可能になっている。
【００２２】
上記アームレスト装着筒２６は、角筒２５に摺接状態で嵌入可能な外周形状に設定されているとともに、中心線と同心で上下方向に延びるように穿設された装着孔２６ａを有している。この装着孔２６ａは、アームレスト支持体２７の支持ロッド２７ｂが摺接状態で嵌入し得る内径寸法に設定され、これによってアームレスト支持体２７がアームレスト装着筒２６に装着された状態で、その高さ位置に拘らず板状フレーム２７ａの足載せ姿勢が維持されるようにしている。
【００２３】
また、上記アームレスト装着筒２６は、ロック手段を有しており、このロック手段を操作することによって手動でアームレスト支持体２７の高さ位置を調節し得るとともに、一旦設定された高さ位置を保持させることができるようになっている。
【００２４】
図３は、緩衝支持部材の一実施形態を示す平面図である。この図に示すように、緩衝支持部材２８は、鋼線を縦横に格子状に配列して形成された格子部材２８ａと、この格子部材２８ａを左右の上部支持板２３間で支持する複数のコイルバネ２８ｄとを備えている。
【００２５】
格子部材２８ａは、本実施形態においては、３本の縦鋼線２８ｂを前後方向に延びるように等間隔で配置した上で、それぞれの縦鋼線２８ｂに直交するように多数の横鋼線２８ｃを配置し、各縦鋼線２８ｂと各横鋼線２８ｃとの交差部分を溶接することによって形成されている。
【００２６】
上記コイルバネ２８ｄは、両側端が折り曲げられたフック部２８ｅを有している。そして、コイルバネ２８ｄの一方のフック部２８ｅをオーバーハング部２３ａの係止孔２３ｂに係止するとともに、他方のフック部２８ｅを格子部材２８ａの両側部の縦鋼線２８ｂに係止することによって、緩衝支持部材２８は左右のコイルバネ２８ｄの付勢力により互いに逆方向に引張られた状態で左右の上部支持板２３間に装着されるようになっている。
【００２７】
上記背凭れ部３は、図１および図２に示すように、逆Ｕ字形状のバックフレーム３１と、このバックフレーム３１の側部フレーム３１ａ間に張設された上下一対のジグザグバネ３２と、これら一対のジグザグバネ３２に支持されたバックプレート３３と、側部フレーム３１ａの内側面下部に互いに対向するように設けられた一対のナックル部材３４とを備えている。バックフレーム３１は、その下部で各側部フレーム３１ａに架橋された補強フレーム３１ｃを有している。
【００２８】
上記一対の側部フレーム３１ａには、前面中央部に上下２個ずつのフック３１ｂが設けられ、幅方向で対向した上側および下側の一対のフック３１ｂにジグザグバネ３２がそれぞれ係止されている。そして、上記バックプレート３３は、その裏面に突設された左右一対の二股状の挟持片３３ａを有し、各挟持片３３ａにジグザグバネ３２を挟持させることによってバックプレート３３がジグザグバネ３２を介してバックフレーム３１に取り付けられるようになっている。このようなバックプレート３３は、着座者の腰骨および背骨のカーブに沿うように下部が前方に膨出されている。そして、バックプレート３３の下端縁部は補強フレーム３１ｃの表面に対向するか、あるいはそれより下部に位置するように寸法設定されている。
【００２９】
一方、上記基礎パイプ１１の側部パイプ１１ａ間に架橋された中央部梁材１４および後部梁材１５間にはそれらに支持された幅方向一対のブラケット１６が立設されている。これら一対のブラケット１６の対向面間の寸法は、上記一対のナックル部材３４の外側面間の寸法よりも若干大きめに設定され、これによって一対のナックル部材３４はブラケット１６間に挟持され得るようになっている。
【００３０】
そして、一対のナックル部材３４が左右のブラケット１６間に挟持された状態で、幅方向に延びる連結軸１７が各ブラケット１６およびナックル部材３４に貫設されるとともに、連結軸１７とナックル部材３４とは一体に結合され、これによって背凭れ部３は、連結軸１７回りに共回り可能な状態で着座部２に連結されている。
【００３１】
また、上記ブラケット１６の一方には、外側部に背凭れ部３を連結軸１７回りに回動させる駆動機構１８が設けられている。この駆動機構１８は、内部に図略の駆動モータと、各種のギアを組み合わせた駆動力伝達手段とを備えており、駆動モータの駆動によって駆動力伝達手段を介して連結軸１７を軸心回りに回動させ得るようになっている。そして、駆動機構１８をスイッチ操作で駆動させることにより、バックフレーム３１は連結軸１７回りに回動し、それが所望の傾斜姿勢になった時点でスイッチＯＦＦすることによって、例えば図２に示すように、その時点でのバックフレーム３１の傾斜姿勢が維持されるようになっている。
【００３２】
なお、後部梁材１５には、幅方向の寸法が後部梁材１５と略同一の逆Ｕ字形状のストッパー１５ａが立設され、バックフレーム３１の垂直面に対する角度が最大になるリクライニング姿勢で側部フレーム３１ａがストッパー１５ａの頂部に当止し、バックフレーム３１のこれ以上の変位が阻止されるようにしている。
【００３３】
上記脚載せ部４は、着座部２の前面部に垂下した図１に示す収納姿勢と、図２に示す足載せ姿勢との間で変位可能になっている。このような脚載せ部４は、着座部２の幅方向に延びたロッド状フレーム（支持ロッド）４１ａとこのロッド状フレーム４１ａの下部に平行に設けられた長尺の板状フレーム４１ｂとからなる上下一対の脚載せフレーム４１と、これら一対の脚載せフレーム４１を結合する幅方向一対の結合フレーム４２とを備えて形成されている。
【００３４】
脚載せフレーム４１は幅寸法が着座部２の幅方向の寸法と略同一に設定されているとともに、結合フレーム４２の図１における高さ寸法は上記上部支持板２３の高さ寸法の半分弱に設定されている。そして、脚載せフレーム４１と結合フレーム４２とからなる脚載せ部４は、収納姿勢（図１）で着座部２の前面下部に位置するとともに、足載せ姿勢（図２）で着座部２の上部支持板２３と略同一の高さ位置に押し上げられるようになっている。
【００３５】
このような脚載せ部４は、変位機構（駆動機構）Ｍにより収納姿勢と足載せ姿勢との間で変位し得るように構成されている。上記変位機構Ｍは、スライド機構５とリンク機構６とが組み合わされて形成されている。そしてスライド機構５の駆動によってリンク機構６が所定の動作を行い、これによって脚載せ部４が変位するようになっている。
【００３６】
図４および図５は変位機構Ｍの一実施形態を示す斜視図であり、図４は、脚載せ部４が収納姿勢で収納位置に収納された状態、図５は脚載せ部４が足載せ姿勢になった状態をそれぞれ示している。これらの図に示すように、スライド機構５は、駆動モータ５１と、この駆動モータ５１の駆動力を伝達するギアボックス５２と、このギアボックス５２から延設されたスクリュー軸５３と、このスクリュー軸５３に螺合されたナット部材５４と、このナット部材５４に結合されたスライダー５５とから形成されている。
【００３７】
上記駆動モータ５１およびギアボックス５２は、中央部梁材１４と後部梁材１５とに架橋された台座１４５上に配設されている。そして、駆動モータ５１は駆動軸が幅方向（Ｘ−Ｘ方向）に延びるように配置され、この駆動モータ５１に幅方向で隣接し、かつ、上記駆動軸を取り込むようにギアボックス５２が配置されている。ギアボックス５２には、ウォームギアやピニオン等の各種のギア類が内装され、これらギア類を介して駆動モータ５１の駆動力がスクリュー軸５３に伝達されるようになっている。
【００３８】
上記スクリュー軸５３は、ギアボックス５２から前後方向（Ｙ−Ｙ方向）に延びるように前方（図４および図５の左方）に向けて突設されている。このスクリュー軸５３にナット部材５４が螺合され、スクリュー軸５３の正逆回転によってナット部材５４が前後動するようになっている。
【００３９】
上記スライダー５５は、ロアレール５６と、このロアレール５６に摺動自在に結合されたアッパーレール５７とからなっている。ロアレール５６は、上記前部梁材１３および後部梁材１５に所定高さ寸法のスペーサー１３ａを介して前後方向に延びる状態で固定されている。このロアレール５６は、断面視でＣ字形状を呈し、上面部に前後方向に延びる案内開口５６ａを有し、この案内開口５６ａの下部に前後方向に延びる蟻溝が形成されている。
【００４０】
上記アッパーレール５７は、断面視でΩ形状を呈したレール本体５７ａと、このレール本体５７ａから着座部２の幅方向左側方に向けて突出したブラケット５７ｂと、同幅方向右側方に向けて突出した連結板５７ｃとを備えて形成されている。
【００４１】
上記レール本体５７ａは、その下端縁部から外方に向けて突設された左右一対の翼部を有しており、この翼部がロアレール５６の蟻溝内に嵌め込まれた状態で頂部が案内開口５６ａから外部に突出され、これによってアッパーレール５７はロアレール５６に案内されつつ前後動が可能になっている。そして、上記ブラケット５７ｂおよび連結板５７ｃは、案内開口５６ａから外部に突出したレール本体５７ａの頂部に固定されている。ちなみにロアレール５６内にはアッパーレール５７との間に図略のローラや転動ボール等が内装され、これらによってアッパーレール５７の前後動が円滑に行い得るようにしている。
【００４２】
そして、上記連結板５７ｃは上記ナット部材５４に一体に接続されており、ナット部材５４の前後動に応じてアッパーレール５７が前後動するようにしている。従って、駆動モータ５１を駆動することにより、その駆動力はギアボックス５２を介してスクリュー軸５３に伝達され、これによってスクリュー軸５３が回転し、この回転によるナット部材５４の前後動によってアッパーレール５７がロアレール５６に案内されつつ前後動することになる。
【００４３】
上記リンク機構６は、複数の四辺形リンク構造が組み合わされて形成されている。本実施形態では、四辺形リンク構造を構成する要素として、６本の第１〜第６リンク腕６１ａ〜６１ｆが採用されている。一方、幅方向で内側（図４および図５の右側）の前後方向一対の支柱２２間にはリンク腕支持板２２ｃが架橋されている。そして、このリンク腕支持板２２ｃに第１リンク腕６１ａおよび第３リンク腕６１ｃの上端部が後方の第１リンク軸６２ａおよび前方の第３リンク軸６２ｃ回りに回動自在に結合されている。
【００４４】
また、第１リンク腕６１ａの中間部分に第２リンク腕６１ｂの後端部が第２リンク軸６２ｂ回りに回動自在に結合されているとともに、この第２リンク腕６１ｂの中間部分が第３リンク腕６１ｃの中間部分に第４リンク軸６２ｄ回りに回動自在に結合されている。
【００４５】
また、第３リンク腕６１ｃの下端部が第４リンク腕６１ｄの下端部に第５リンク軸６２ｅ回りに回動自在に結合されている。また、上記第２リンク腕６１ｂの前端部が第５リンク腕６１ｅの上端部に第６リンク軸６２ｆ回りに回動自在に結合されているとともに、上記第４リンク腕６１ｄの中間部分が第５リンク腕６１ｅの中間部分に第７リンク軸６２ｇ回りに回動自在に結合されている。さらに、上記第５リンク腕６１ｅの下端部が第６リンク腕６１ｆの下端部に第８リンク軸６２ｈ回りに回動自在に結合されている。
【００４６】
そして、上記第４リンク腕６１ｄの上端部は脚載せ部４の結合フレーム４２の上部に第９リンク軸６２ｉ回りに回動自在に結合されているとともに、上記第６リンク腕６１ｆの上端部も結合フレーム４２の下部に第１０リンク軸６２ｊ回りに回動可能に結合されている。
【００４７】
従って、本リンク機構６においては、各リンク腕および結合フレーム４２によって、第１リンク軸６２ａ、第２リンク軸６２ｂ、第３リンク軸６２ｃ、および第４リンク軸６２ｄを支点とした第１の四辺形リンク構造と、第４リンク軸６２ｄ、第７リンク軸６２ｇ、第６リンク軸６２ｆ、および第７リンク軸６２ｇを支点とした第２の四辺形リンク構造と、第７リンク軸６２ｇ、第８リンク軸６２ｈ、第９リンク軸６２ｉ、および第１０リンク軸６２ｊとからなる第３の四辺形リンク構造との三つの四辺形リンク構造が形成されている。
【００４８】
しかも、第１および第２の四辺形リンク構造においては第２リンク腕６１ｂが共用されているとともに、第２および第３の四辺形リンク構造においては第４リンク腕６１ｄが共用されており、このようなリンク構造によって脚載せ部４の収納姿勢と足載せ姿勢との間の姿勢変更が行い得るようにしている。
【００４９】
そして、各リンク腕６１ａ〜６１ｆの長さ寸法、形状および各リンク軸６２ａ〜６２ｊの設置位置は、第１リンク腕６１ａが第１リンク軸６２ａ回りに反時計方向に回動し、これによって第２リンク軸６２ｂが第１リンク軸６２ａよりも後方位置に後退した状態で脚載せ部４が収納姿勢になり、逆に第１リンク腕６１ａが第１リンク軸６２ａ回りに時計方向に回動し、これによって第２リンク軸６２ｂが第１リンク軸６２ａよりも前方に位置するように前進した状態で脚載せ部４が足載せ姿勢になるように設定されている。
【００５０】
一方、第１リンク腕６１ａの第２リンク軸６２ｂより下方部分は後方に向けて若干折り曲げられ、その先端部に連結腕６３が結合されている。この連結腕６３は、リンク機構６とスライド機構５とを結合するためのものであり、その後方端は第１結合軸６３ａ回りに回動自在に第１リンク腕６１ａの先端部に結合されているとともに、連結腕６３の前方端は上記ロアレール５６のブラケット５７ｂに第２結合軸６３ｂ回りに回動自在に結合されている。
【００５１】
また、各リンク腕６１ａ〜６１ｆの外側には、リンク機構６の動作に追随して移動し、脚載せ部４が足載せ姿勢になった状態で伸長した各リンク腕６１ａ〜６１ｆを外部から覆う板状の安全カバー６４が設けられている。この安全カバー６４を設けたことにより、脚載せ部４が足載せ姿勢になっている状態で椅子１０の側方から各リンク腕６１ａ〜６１ｆの方向への異物の侵入が阻止されるようにしている。
【００５２】
変位機構Ｍの上記構成によれば、脚載せ部４が収納姿勢で着座部２の前方下部に収納された図４に示す状態において、駆動モータ５１の駆動によってギアボックス５２を介してスクリュー軸５３を所定方向に回転させることによりナット部材５４は前進する。
【００５３】
このナット部材５４の前進によってロアレール５６が連結板５７ｃを介して前進し、ロアレール５６のブラケット５７ｂに第２結合軸６３ｂによって連結されている連結腕６３も前進するため、連結腕６３の後端部に第１結合軸６３ａによって連結されている第１リンク腕６１ａは第１リンク軸６２ａ回りに時計方向に回動し、この回動によって各リンク腕６１ｂ〜６１ｆが所定のリンク運動を行うことにより結合フレーム４２が上方に向かうように全体的に伸長し、ナット部材５４が所定の前方位置に到達した状態で脚載せ部４が、図５に示すように、足載せ姿勢になる。
【００５４】
逆に、図５に示すように、脚載せ部４が足載せ姿勢の状態で駆動モータ５１を逆駆動することによりロアレール５６は後退し、これによって第１リンク腕６１ａが第１リンク軸６２ａ回りに反時計方向に回動し、これによる各リンク腕６１ｂ〜６１ｆの上記と逆のリンク運動によって脚載せ部４は図４に示す元の収納姿勢に復帰する。
【００５５】
図６は、図１に示す椅子のフレーム構造１にクッション材を装着し、これによってシートボトム７ａおよびシートバック７ｂを備えた椅子１０が形成された状態を示す一部切欠き斜視図である。この図に示すように、左右一対の上部支持板２３間に張設された緩衝支持部材２８上、およびバックフレーム３１のジグザグバネ３２に支持されたバックプレート３３上にはそれぞれ所定のクッション材７が配置され、これによって着座席であるシートボトム７ａ、および背凭れであるシートバック７ｂが形成されている。
【００５６】
このようなクッション材７は、下部に板状体からなる形状保持層７１、中間部に高反発材料からなる高反発層７２、上部に柔軟性材料からなる軟質層７３、および表面に表皮７４が積層された４層構造で形成されている。本実施形態においては、形状保持層７１は発泡性合成樹脂のチップを所定の接着剤を介して圧縮成形して板状にした、いわゆるパーティクルボードによって形成され、高反発層７２は反発性の大きい発泡性合成樹脂によって形成され、軟質層７３は柔軟性に優れた発泡性合成樹脂によって形成されている。また、表皮７４は可撓性を有する合成樹脂製のシートによって形成されている。
【００５７】
そして、これら形状保持層７１、高反発層７２、および軟質層７３がそれぞれ接着剤を介して積層され、軟質層７３の表面を表皮７４で被覆することによってクッション材７が形成されている。本実施形態においては、形状保持層７１、高反発層７２、および軟質層７３の積層体を所定サイズに切断してシートボトム７ａ用およびシートバック７ｂ用のものをつくり、これらを緩衝支持部材２８上およびバックプレート３３上に載置した状態で表面を表皮７４で被覆し、表皮７４の縫代部分で椅子のフレーム構造１の所定の部材（例えば、シートボトム７ａの場合はフロントロッド２２ｂ、緩衝支持部材２８の一部等、シートバック７ｂの場合はバックフレーム３１の頂部や補強フレーム３１ｃ等）を包み込むようにしてクッション材７の裏面で表皮７４の縁部同士を縫着あるいは溶着することによりシートボトム７ａおよびシートバック７ｂが形成されている。
【００５８】
上記アームレスト部２４の板状フレーム２７ａは、軟質の発泡性合成樹脂からなるパッド材７６ａ中に埋設されている。このパッド材７６ａの表面が表皮（アームレスト表皮７６ｂ）によって被覆されることによりアームレスト７６が形成されている。パッド材７６ａ内への板状フレーム２７ａの埋設、およびアームレスト表皮７６ｂによるパッド材７６ａの被覆は、一体発泡成形法によって行うことが可能である。
【００５９】
一方、上記シートボトム７ａ用の表皮７４には、幅方向の両側部にアームレスト用の覆い部材７５が縫着あるいは溶着によって取り付けられている。この覆い部材７５は、袋状の表皮（袋表皮７５ａ）の内部にスポンジ等からなる柔軟性材料が充填されて形成されている。そして、袋表皮７５ａ内に柔軟性材料が充填された状態で袋表皮７５ａの表裏面を前後方向の全長に亘って縫着等で接合することにより、覆い部材７５の表面に複数の突条７５ｂが形成されるようにするとともに、これによって隣接した突条７５ｂ間に前後方向に延びる折り溝７５ｃが形成されるようにしている。
【００６０】
覆い部材７５は、このような構成を採用することにより、折り溝７５ｃ部分で幅方向に折り曲げ易くなっており、アームレスト７６の高さ位置に対応したいずれかの折り溝７５ｃ部分で折れ曲がり、アームレスト部２４の表面を容易に、かつ、確実に被覆し得るようになっている。
【００６１】
図７は、本発明に係る足載せ台構造の第１実施形態を示す一部切欠き斜視図であり、（イ）はオットマン７７が収納姿勢に設定された状態、（ロ）はオットマン７７が足載せ姿勢に設定された状態をそれぞれ示している。図７に示すように、足載せ台構造は、上記ロッド状フレーム４１ａおよび板状フレーム４１ｂからなる脚載せ部４と、この脚載せ部４に結合されたオットマン７７とを備えて形成されている。
【００６２】
オットマン（パッド部）７７は、オットマンフレーム７７０と、このオットマンフレーム７７０に一体に取り付けられたブラケット７７３と、このブラケット７７３および上記オットマンフレーム７７０を埋設したパッド材７７ａと、このパッド材７７ａを被覆した脚載せ部表皮７７ｂとから構成されている。
【００６３】
上記オットマンフレーム７７０は、幅方向に平行に配設され、かつ、両側部が後方に向けて折り曲げられた上下一対の水平フレーム７７１と、これら水平フレーム７７１間に架橋された架橋フレーム７７２とを備えて形成されており、上方の水平フレーム７７１の幅方向の中央部にブラケット７７３が溶接その他で固定されている。
【００６４】
上記ブラケット７７３は、横長の平板によって形成され、その上部に環状に折り曲げられて形成された軸受部７７４を有している。そして、この軸受部７７４が脚載せフレーム４１のロッド状フレーム４１ａに外嵌され、これによってブラケット７７３はロッド状フレーム４１ａ回りに回動自在に軸支された状態になっている。また、ブラケット７７３は、その上下長がロッド状フレーム４１ａと板状フレーム４１ｂとの上下間隔よりも長く寸法設定され、これによってブラケット７７３の下部が板状フレーム４１ｂに当止した状態でロッド状フレーム４１ａ回りの反時計方向の回動を規制するようになっている。
【００６５】
上記パッド材７７ａには、上記軸受部７７４を外部に露出させ、かつ、前方部分が肉厚になる状態でオットマンフレーム７７０およびブラケット７７３が埋設され、これによってパッド材７７ａはオットマンフレーム７７０およびブラケット７７３と一体化している。このようなパッド材７７ａの表面が表皮７７ｂで被覆されることによってオットマン７７が形成されている。従って、オットマン７７は、図７の（イ）に示す収納姿勢に設定されている状態において、ロッド状フレーム４１ａ回りに時計方向に回動可能に軸支されているとともに、図７の（ロ）に示す状態において、前後方向の中央部が板状フレーム４１ｂに支持されることによりオットマン７７がロッド状フレーム４１ａから前方に突出した足載せ姿勢になるようにしている。
【００６６】
本実施形態においては、パッド材７７ａは発泡性合成樹脂によって形成され、表皮７７ｂは合成樹脂製のウェブによって形成されている。パッド材７７ａに対するオットマンフレーム７７０およびブラケット７７３の埋設、並びに表皮７７ｂによるパッド材７７ａの被覆は、一体発泡成形法によって行われている。
【００６７】
図８および図９は、第１実施形態の足載せ構造の作用を説明するための側面断面視の説明図であり、図８はオットマン７７が足載せ姿勢に設定された状態、図９はオットマン７７と着座部２との間に異物が挟み込まれた状態で脚載せフレーム４１が収納姿勢に姿勢変更された状態をそれぞれ示している。
【００６８】
まず、図８に示すように、オットマン７７が足載せ姿勢に設定された状態でオットマン７７の下部に異物Ｚが入り込んだとする。この状態で変位機構Ｍ（図２）の駆動により脚載せフレーム４１が姿勢変更されると、脚載せフレーム４１は、図９に示すように、側面視で上下方向に延びる収納姿勢に設定されるが、オットマン７７は異物Ｚに干渉されてロッド状フレーム４１ａ回りに時計方向に脚載せフレーム４１に対して相対回動するため、異物Ｚがオットマン７７と着座部２とに押圧挟持された状態にはならず、異物や椅子１０の損傷が確実に防止される。
【００６９】
図１０は、本発明に係る足載せ台構造の第２実施形態を示す側面視の断面図である。この図に示すように、第２実施形態の足載せ台構造は、ブラケット７７３の軸受部７７４の下部が開放された円弧状軸受部（フック部）７７５を採用しているとともに、ブラケット７７３の板状フレーム４１ｂに対向した面に磁石７７６を付設し、磁石７７６の板状フレーム４１ｂへの磁着によって普段はブラケット７７３が板状フレーム４１ｂに接合された状態にしている。その他の構成は第１実施形態のものと同様である。
【００７０】
第２実施形態の構成によれば、普段は円弧状軸受部７７５のロッド状フレーム４１ａへの係止および磁石７７６の板状フレーム４１ｂへの磁着によって、オットマン７７は脚載せフレーム４１に安定して確実に取り付けられた状態になっている。
【００７１】
そして、オットマン７７と着座部２との間に異物Ｚが挟まった状態でオットマン７７が変位機構Ｍ（図２）の駆動により足載せ姿勢から収納姿勢に姿勢変更されたときには、図１０に二点鎖線で示すように、異物Ｚによる干渉によって磁石７７６の板状フレーム４１ｂに対する磁着が外れるとともに、円弧状軸受部７７５の板状フレーム４１ｂに対する係止が外れるため、オットマン７７は脚載せフレーム４１から分離され、これによって異物Ｚおよび椅子の損傷が確実に防止される。
【００７２】
図１１は、本発明に係る足載せ台構造の第３実施形態を示す側面視の断面図である。この図に示すように、第３実施形態の足載せ台構造は、ブラケット７７３に軸受部７７４が設けられておらず、その代わりにブラケット７７３にゴムや柔軟性を有する合成樹脂製の嵌め合い部材７７７が設けられ、この嵌め合い部材７７７によってオットマン７７が脚載せフレーム４１に取り付けられるようにしている。その他の構成については、第１実施形態のものと同様である。
【００７３】
本実施形態では上記嵌め合い部材７７７はゴム製の板状の基部７７７ａと、この基部７７７ａの上下に後方に向かって突設されたゴム製の係合突部７７７ｂとから構成されている。この係合突部７７７ｂは、前後方向の中央部に他の部分よりも径の大きい係止用大径部７７７ｃが形成されている一方、ブラケット７７３には上記各係合突部７７７ｂに対応した貫通孔７７３ａが穿設され、これらの貫通孔７７３ａにパッド材７７ａ側から係合突部７７７ｂを貫入することによって係止用大径部７７７ｃが外部に突出した状態で嵌め合い部材７７７がブラケット７７３に固定されている。
【００７４】
一方、ロッド状フレーム４１ａおよび板状フレーム４１ｂには、上記係合突部７７７ｂに対応した係合孔４１ｃが穿設されている。この係合孔４１ｃは、その内径が上記係止用大径部７７７ｃの外径よりも若干小さめに寸法設定され、係止用大径部７７７ｃを係合孔４１ｃに強制的に嵌め込むことにより、係止用大径部７７７ｃが弾性変形し、この弾性変形の復元力によって係合孔４１ｃの内壁面が押圧されることにより係止用大径部７７７ｃの係合孔４１ｃへの嵌入状態が安定するようになっている。そして、このような係止用大径部７７７ｃを有する係合突部７７７ｂを係合孔４１ｃに嵌入することにより、オットマン７７が脚載せフレーム４１に取り付けられるようにしている。
【００７５】
第３実施形態の構成によれば、普段は係合突部７７７ｂの係合孔４１ｃへの嵌入によって、図１１に二点鎖線で示すように、オットマン７７は脚載せフレーム４１に安定して確実に取り付けられた状態になっている。
【００７６】
そして、オットマン７７と着座部２との間に異物が挟まった状態でオットマン７７が変位機構Ｍ（図２）の駆動により足載せ姿勢から収納姿勢に姿勢変更されたときには、異物による干渉によって係合突部７７７ｂが係合孔４１ｃから抜け出るため、オットマン７７は脚載せフレーム４１から離脱し、異物および椅子の損傷が確実に防止される。
【００７７】
本発明は以上の実施形態に限定されるものではなく、以下の内容をも包含するものである。
【００７８】
（１）上記の第２実施形態では、ブラケット７７３の下部が磁石７７６を介して脚載せフレーム４１に固定されるようにしているが、磁石７７６に代えて先端にフックの形成された係止クリップをブラケット７７３の下端部に取り付け、この係止クリップを板状フレーム４１ｂの下端縁部に係止することによってオットマン７７を脚載せフレーム４１に装着するようにしてもよい。
【００７９】
（２）上記の第２実施形態においては、オットマン７７は、円弧状軸受部７７５のロッド状フレーム４１ａへの係止と、磁石７７６の板状フレーム４１ｂへの磁着によって脚載せフレーム４１に装着されているが、ブラケット７７３に円弧状軸受部７７５を設けずに磁石７７６のみによってオットマン７７を脚載せフレーム４１に装着するようにしてもよい。
【００８０】
【発明の効果】
本発明の請求項１記載の椅子の足載せ台構造によれば、足載せ台が足載せ姿勢から収納姿勢に姿勢変更するに際し、足載せ台のフレームよりも先端側のパッド部に上記姿勢変更に抗する力が加わると、パッド部はフレームに対して相対的に後退するとともに、フレームは収納姿勢に姿勢変更するめ、足載せ姿勢に設定された足載せ台を駆動機構の駆動によって収納姿勢に姿勢変更するに際し、パッド部と着座部との間に異物が挟まっていても、フレームは足載せ台の収納姿勢に対応した姿勢に変位するが、パッド部はフレームに対して相対的に後退し、異物がパッド部と着座部との間に押圧挟持された状態にならないばかりか、駆動機構が過負荷になることもなく、異物および椅子の損傷を防止する上で有効である。
【００８１】
本発明の請求項２記載の椅子の足載せ台構造によれば、パッド部は、磁石によってフレームに取り付けられているため、パッド部と着座部との間に異物が挟まった状態で駆動機構の駆動によって足載せ台を収納姿勢に姿勢変更させると、パッド部は異物によって反力を受け、この反力で磁石によりフレームに取り付けられているパッド部はフレームから容易に外れ、異物および椅子の破損を確実に防止することができる。
【００８２】
本発明の請求項３記載の椅子の足載せ台構造によれば、パッド部は、嵌め合い部材を介してフレームに取り付けられているため、パッド部と着座部との間に異物が挟まった状態で駆動機構の駆動によって足載せ台を収納姿勢に変更すると、パッド部は異物によって反力を受け、この反力で嵌め合い部材によるパッド部とフレームとの結合が解除され、パッド部はフレームから容易に外れ、異物および椅子の破損を確実に防止することができる。
【００８３】
本発明の請求項４記載の椅子の足載せ台構造によれば、フレームは、幅方向に延びる支持ロッドを備え、パッド部は、収納姿勢で先端側が支持ロッドより下方に位置し、かつ、足載せ姿勢で先端側が支持ロッドより前方に位置するように上記支持ロッド回りに回動可能に支持されているとともに、先端側が自由端にされているため、パッド部と着部との間に異物が挟まった状態で駆動機構の駆動によって足載せ台を収納姿勢に変更すると、パッド部は異物によって反力を受け、この反力によってパッド部は、自由端側が支持ロッド回りに相対回動し、この相対回動によってフレームは足載せ台の収納姿勢に対応した姿勢に変位するにも拘らず、パッド部は異物を挟持した位置に残留し、これによって異物および椅子の損傷が確実に回避される。
【００８４】
本発明の請求項５記載の椅子の足載せ台構造によれば、パッド部は、上記支持ロッド回りに回動自在に接続されるフック部を有し、このフック部は、上記足載せ台が足載せ姿勢から収納姿勢に姿勢変更するに際し、上記フレームよりも先端側のパッド部に上記姿勢変更に抗する力が加わると、上記支持ロッドから外れるようにしているため、パッド部と着座部との間に異物が挟まった状態で駆動機構の駆動によって足載せ台を収納姿勢に変更すると、パッド部は異物によって反力を受け、この反力によってパッド部は支持ロッドから容易に外れ、これによって異物および椅子の損傷が確実に回避される。
【図面の簡単な説明】
【図１】本発明に係る足載せ台構造が適用された椅子のフレーム構造を示す斜視図であり、フレーム構造が着座姿勢に設定された状態を示している。
【図２】図１に示す椅子のフレーム構造がリクライニング姿勢に設定された状態を示す斜視図である。
【図３】緩衝支持部材の一実施形態を示す平面図である。
【図４】変位機構の一実施形態を示す斜視図であり、脚載せ部が収納姿勢で収納位置に収納された状態を示している。
【図５】変位機構の一実施形態を示す斜視図であり、脚載せ部が足載せ姿勢になった状態をそれぞれ示している。
【図６】図１に示す椅子のフレーム構造にクッション材を装着し、これによってシートボトムおよびシートバックを備えた椅子が形成された状態を示す一部切欠き斜視図である。
【図７】本発明に係る足載せ台構造の第１実施形態を示す一部切欠き斜視図であり、（イ）はオットマンが収納姿勢に設定された状態、（ロ）はオットマンが足載せ姿勢に設定された状態をそれぞれ示している。
【図８】第１実施形態の足載せ構造の作用を説明するための側面断面視の説明図であり、オットマンが足載せ姿勢に設定された状態を示している。
【図９】第１実施形態の足載せ構造の作用を説明するための側面断面視の説明図であり、オットマンと着座部との間に異物が挟み込まれた状態で脚載せフレームが収納姿勢に姿勢変更された状態を示している。
【図１０】本発明に係る足載せ台構造の第２実施形態を示す側面視の断面図である。
【図１１】本発明に係る足載せ台構造の第３実施形態を示す側面視の断面図である。
【符号の説明】
１  椅子のフレーム構造    １１  基礎パイプ
１１ａ  側部パイプ        １２  下部支持板
１３  前部梁材            １３ａ  スペーサー
１４  中央部梁材          １５  後部梁材
１５ａ  ストッパー        １６  ブラケット
１７  連結軸              １８  駆動機構
２  着座部                ２１  支持架台
２２  支柱                ２２ａ  桟材
２２ｂ  フロントロッド    ２３  上部支持板
２３ａ  オーバーハング部  ２４  アームレスト部
２６  アームレスト装着筒  ２５  角筒
２７  アームレスト支持体  ２７ａ  板状フレーム
２７ｂ  支持ロッド        ２８  緩衝支持部材
２８ａ  格子部材          ２８ｂ  縦鋼線
２８ｃ  横鋼線            ２８ｄ  コイルバネ
２８ｅ  フック部          ３  背凭れ部
３１  バックフレーム      ３１ａ  側部フレーム
３２  ジグザグバネ        ３３  バックプレート
３３ａ  挟持片            ３４  ナックル部材
４  脚載せ部（足載せ台）  ４１  脚載せフレーム
４２  結合フレーム
Ｍ  変位機構              ５  スライド機構
５１  駆動モータ          ５２  ギアボックス
５３  スクリュー軸        ５４  ナット部材
５５  スライダー          ５６  ロアレール
５６ａ  案内開口          ５７  アッパーレール
５７ａ  レール本体        ５７ｂ  ブラケット
５７ｃ  連結板            ６  リンク機構
６１ａ〜６１ｆ  第１〜第６リンク腕
６２ａ〜６２ｊ  第１〜第１０リンク軸
６３  連結腕              ６３ａ  第１結合軸
６３ｂ  第２結合軸        ６４  安全カバー
７  クッション材          ７ａ  シートボトム
７ｂ  シートバック        ７１  形状保持層
７２  高反発層            ７３  軟質層
７４  表皮                ７５  覆い部材
７５ａ  袋表皮            ７５ｂ  突条
７５ｃ  折り溝            ７６  アームレスト
７６ｂ  アームレスト表皮  ７６ａ  パッド材
７７  オットマン（パッド部）
７７ａ  パッド材          ７７ｂ  表皮
７７０  オットマンフレーム
７７１  水平フレーム      ７７２  架橋フレーム
７７３  ブラケット        ７７４  軸受部
７７５  円弧状軸受部      ７７６  磁石
７７７  嵌め合い部材      ７７７ａ  基部
７７７ｂ  係合突部        ７７７ｃ  係止用大径部
【図１】
0003662329.tif 000002
【図２】
0003662329.tif 000003
【図３】
0003662329.tif 000004
【図４】
0003662329.tif 000005
【図５】
0003662329.tif 000006
【図６】
0003662329.tif 000007
【図７】
0003662329.tif 000008
【図８】
0003662329.tif 000009
【図９】
0003662329.tif 000010
【図１０】
0003662329.tif 000011
【図１１】
0003662329.tif 000012